(57)【要約】  移動通信システムにおける端末（ＭＳ）が基地局（ＢＳ）からシステム情報を受信する方法及び装置を提供する。上記方法及び装置は、現在のシステム情報にエラーがある場合に、格納されているシステム情報がバッファにあるか否かを検査し、上記格納されているシステム情報がある場合に、上記現在のシステム情報と関連したマスター情報ブロック（ＭＩＢ）バリュータグ、システム情報ブロック（ＳＩＢ）バリュータグ、及び変更時間情報の中の少なくとも１つにより定義されるコンバイニング条件が満足するか否かを検査し、上記コンバイニング条件が満足する場合に、上記現在のシステム情報を上記格納されているシステム情報とコンバイニングする。
2010510747.tif 000002
【特許請求の範囲】
【請求項１】
移動通信システムにおける端末（ＭＳ）が基地局（ＢＳ）からシステム情報を受信する方法であって、
現在のシステム情報にエラーがある場合に、格納されているシステム情報がバッファにあるか否かを検査するステップと、
前記格納されているシステム情報がある場合に、前記現在のシステム情報と関連したマスター情報ブロック（ＭＩＢ）バリュータグ、システム情報ブロック（ＳＩＢ）バリュータグ、及び変更時間情報の中の少なくとも１つにより定義されるコンバイニング条件が満足するか否かを検査するステップと、
前記コンバイニング条件が満足する場合に、前記現在のシステム情報を前記格納されているシステム情報とコンバイニングするステップと、
を含むことを特徴とする方法。
【請求項２】
前記コンバイニング条件は、前記ＭＩＢバリュータグが変更されない値を有するものであることを特徴とする請求項１に記載の方法。
【請求項３】
前記コンバイニング条件は、前記端末が前記変更時間情報を受信しない場合に、前記ＭＩＢバリュータグが変更された値を有し、前記ＳＩＢバリュータグが変更されない値を有するものであることを特徴とする請求項１に記載の方法。
【請求項４】
前記コンバイニング条件は、前記端末が前記変更時間情報を受信する場合に、前記ＭＩＢバリュータグが変更された値を有し、前記格納されているシステム情報が変更時間の後に受信され、前記ＳＩＢバリュータグが変更されない値を有するものであることを特徴とする請求項１に記載の方法。
【請求項５】
前記コンバイニング条件は、前記端末が前記変更時間情報を受信し、前記ＳＩＢバリュータグを受信しない場合に、前記ＭＩＢバリュータグ値が変更された値を有し、前記格納されているシステム情報が変更時間の後に受信されたものであることを特徴とする請求項１に記載の方法。
【請求項６】
前記コンバイニングされたシステム情報にエラーがある場合に、前記格納されているシステム情報を前記バッファからクリアし、前記コンバイニングされたシステム情報を前記バッファに格納するステップをさらに含むことを特徴とする請求項１に記載の方法。
【請求項７】
前記コンバイニング条件は、前記端末が前記変更時間情報を受信せず、前記ＳＩＢバリュータグを受信しない場合に、前記ＭＩＢバリュータグが変更された値を有するものであることを特徴とする請求項１に記載の方法。
【請求項８】
前記コンバイニングされたシステム情報にエラーがある場合に、前記格納されているシステム情報を前記バッファからクリアし、前記現在のシステム情報を前記バッファに格納するステップをさらに含むことを特徴とする請求項７に記載の方法。
【請求項９】
移動通信システムにおける端末（ＭＳ）が基地局（ＢＳ）からシステム情報を受信する装置であって、
前記システム情報及び前記システム情報に関連したマスター情報ブロック（ＭＩＢ）バリュータグ、システム情報ブロック（ＳＩＢ）バリュータグ、及び変更時間情報の中の少なくとも１つを受信する受信部と、
前記受信されたシステム情報にエラーがあるか否かを検査し、エラー検査結果を出力するエラー検査部と、
前記エラー検査結果に基づいて、前記ＭＩＢバリュータグ、前記ＳＩＢバリュータグ、及び前記変更時間情報の中の少なくとも１つにより定義されるコンバイニング条件又は格納条件が満足しているか否かに従って前記システム情報をバッファ及びコンバイナの中の１つに伝達する制御部と、
前記格納条件が満足する場合に、前記制御部から受信された前記システム情報を格納するバッファと、
前記コンバイニング条件が満足する場合に、前記バッファに格納されているシステム情報を前記制御部から受信されたシステム情報とコンバイニングするコンバイナと、
を含むことを特徴とする装置。
【請求項１０】
前記コンバイニング条件は、前記ＭＩＢバリュータグ値が変更されない値を有するものであることを特徴とする請求項９に記載の装置。
【請求項１１】
前記コンバイニング条件は、前記受信器が前記変更時間情報を受信しない場合に、前記ＭＩＢバリュータグが変更された値を有し、前記ＳＩＢバリュータグ値が変更されない値を有するものであることを特徴とする請求項９に記載の装置。
【請求項１２】
前記コンバイニング条件は、前記受信器が前記変更時間情報を受信する場合に、前記ＭＩＢバリュータグ値が変更された値を有し、前記格納されているシステム情報が変更時間の後に受信され、前記ＳＩＢバリュータグが変更されない値を有するものであることを特徴とする請求項９に記載の装置。
【請求項１３】
前記コンバイニング条件は、前記ＭＳが前記変更時間情報を受信し、前記ＳＩＢバリュータグを受信しない場合に、前記ＭＩＢバリュータグが変更された値を有し、前記格納されているシステム情報が変更時間の後に受信されたものであることを特徴とする請求項９に記載の装置。
【請求項１４】
前記コンバイニングされたシステム情報にエラーがある場合に、前記制御部は、前記格納されているシステム情報を前記バッファからクリアし、前記コンバイニングされたシステム情報を前記バッファに格納することを特徴とする請求項９に記載の装置。
【請求項１５】
前記コンバイニング条件は、前記受信器が前記変更時間情報を受信せず、前記ＳＩＢバリュータグを受信しなかった場合に、前記ＭＩＢバリュータグが変更された値を有するものであることを特徴とする請求項９に記載の装置。
【請求項１６】
前記コンバイニングされたシステム情報にエラーがある場合に、前記制御部は、前記格納されているシステム情報を前記バッファからクリアし、前記現在のシステム情報を前記バッファに格納することを特徴とする請求項１５に記載の装置。
【発明の詳細な説明】
【技術分野】
【０００１】
本発明は、一般的に移動通信システムに関し、特に、移動通信システムにおける基地局（Base Station：以下、“ＢＳ”と称する。）からのシステム情報を端末（Mobile Station：以下、“ＭＳ”と称する。）が受信する方法及び装置に関する。
【背景技術】
【０００２】
移動通信システムにおいて、ＢＳは、システム情報をＭＳに送信する。このシステム情報は、チャネル確立のための情報及び隣接セルのリストとともにＢＳとＭＳとの通信に必要な様々な種類の情報を意味する。このシステム情報は、システム情報ブロック（System Information Block：以下、“ＳＩＢ”と称する。）に含まれて送信される。このＳＩＢは、通常１８個で構成される。
【０００３】
ＢＳは、このシステム情報の変更（すなわち、ＳＩＢの変更）をＭＳに通知する２種類の方法の中の１つを使用することができる。１つの方法において、ＢＳは、マスター情報ブロック（Master Information Block：以下、“ＭＩＢ”と称する。）を周期的に送信し、ＭＳは、ＭＩＢをモニタリングする。ＭＩＢ送信周期は、モニタリング周期と同一である。ＳＩＢの送信に必要な情報を提供するＭＩＢは、ＭＩＢバリュータグ（value tag）とＳＩＢバリュータグと呼ばれる情報ビットを含む。ＭＩＢバリュータグは、このシステム情報が変更されたか否かを示し、ＳＩＢバリュータグは、ＳＩＢが変更されたか否かを示す。
ＭＩＢ又はＳＩＢは、ブロードキャスト制御チャネル（Broadcast Control Channel：以下、“ＢＣＣＨ”と称する。）を介してブロードキャストされることができる。
この方式において、ＭＳは、ＢＳのシステム情報の送信周期と同一の周期でシステム情報をモニタリングする。したがって、このシステム情報が変更される場合に、変更時間情報は必要がない。この変更時間情報は、この変更されたシステム情報が適用される時点を示す。
他の方法は、ＢＳが一定の周期でシステム情報を通知せず、システム情報が変更される場合にＭＳに通知するものである。この方法は、変更時間情報を必要とする。
【０００４】
以下では、このシステム情報がバリュータグを用いて変更されたか否かを確認する方式について簡単に説明する。下記の説明は、この２種類の方法にすべて適用されることができる。
第１のＭＩＢバリュータグが“０”であり、第２のＭＩＢバリュータグが“０”である場合に、これは、システム情報が変更されなかったことを意味する。ＳＩＢが変更された場合に、ＭＩＢバリュータグは“１”に設定され、これにより、ＢＳは、このシステム情報が変更されたことをＭＳに通知する。このような方式で、このシステム情報が変更される度に、ＭＩＢバリュータグは、順次に増加する。ＭＩＢバリュータグは、システム情報が変更されたか否かをＭＳに通知するだけであり、この変更されたシステム情報を示さない。したがって、ＭＩＢバリュータグが前の時間に受信したＭＩＢバリュータグとは異なる値である場合に、ＭＳは、ＳＩＢバリュータグを検査することによりこの変更されたシステム情報を確認する。
この例において、ＭＩＢバリュータグが“１”に変更される場合に、ＭＳは、このシステム情報が変更されたことを確認する。この変更されたシステム情報を知るために、ＭＳは、１８個のＳＩＢバリュータグの各々を読み出し、この変更されたシステム情報を変更されたＳＩＢバリュータグに対応するＳＩＢから取得する。
【０００５】
図１は、移動通信システムにおける端末（User Equipment：以下、“ＵＥ”と称する。）が次世代無線アクセスネットワーク（Evolved Radio Access Network：以下、“Ｅ−ＲＡＮ”と称する。）からのシステム情報を受信する従来の動作を説明する信号フロー図である。
図１を参照すると、移動通信システムにおいて、Ｅ−ＲＡＮ１００は、ステップ１２０で、ＭＩＢバリュータグを有するＭＩＢをＵＥ１１０に送信し、ステップ１３０で、ＳＩＢをＵＥ１１０に送信する。このＭＩＢバリュータグがエラーがなく、増加された値を有し、したがって、ＵＥ１１０がＳＩＢバリュータグを読み出したと仮定する。変更されたＳＩＢバリュータグを用いて変更されたＳＩＢを確認するために、ＵＥ１１０は、ステップ１４０で、受信されたＳＩＢ内のエラーをチェックする。ＳＩＢがエラーを有している場合には、ＵＥ１１０は、ステップ１５０でこのＳＩＢを無視し、ステップ１６０で、新たなＳＩＢを受信する。説明の便宜上、ここではＭＩＢ送信についての説明を省略する。
ステップ１７０で、ＵＥ１１０は、ＳＩＢ内のエラーを検査する。エラーが発見されないと、ＵＥ１１０は、ステップ１８０で、このＳＩＢをバッファに格納する。エラーがこの受信されたＳＩＢで発見されると、ＵＥ１１０は、このＳＩＢを無視し、エラーが図１の手続きで発見されないときまでＳＩＢ受信を反復する。このような反復は、ＵＥが正常のＳＩＢを受信し、変更されたシステム情報を確認するためには相当な時間遅延を引き起こす。その結果、Ｅ−ＲＡＮとＵＥとの間で通信が遅延するという問題があった。
【発明の概要】
【発明が解決しようとする課題】
【０００６】
したがって、本発明は、上述した従来技術の問題点を解決するために提案されたものであり、その目的は、ＵＥでシステム情報をエラーなしに受信するための方法及び装置を提供することにある。
本発明の他の目的は、ＵＥでシステム情報の受信率を向上させるための方法及び装置を提供することにある。
本発明のさらに他の目的は、ＵＥでシステム情報を受信する時間遅延を減少させるための方法及び装置を提供することにある。
【課題を解決するための手段】
【０００７】
上記のような目的を達成するために、本発明の実施形態の一態様によれば、移動通信システムにおける端末（ＭＳ）が基地局（ＢＳ）からシステム情報を受信する方法を提供する。上記方法は、現在のシステム情報にエラーがある場合に、格納されているシステム情報がバッファにあるか否かを検査するステップと、上記格納されているシステム情報がある場合に、上記現在のシステム情報と関連したマスター情報ブロック（ＭＩＢ）バリュータグ、システム情報ブロック（ＳＩＢ）バリュータグ、及び変更時間情報の中の少なくとも１つにより定義されるコンバイニング条件が満足するか否かを検査するステップと、上記コンバイニング条件が満足する場合に、上記現在のシステム情報を上記格納されているシステム情報とコンバイニングするステップと、を含むことを特徴とする。
【０００８】
本発明の実施形態の他の態様によれば、移動通信システムにおける端末（ＭＳ）が基地局（ＢＳ）からシステム情報を受信する装置を提供する。上記装置は、上記システム情報及び上記システム情報に関連したマスター情報ブロック（ＭＩＢ）バリュータグ、システム情報ブロック（ＳＩＢ）バリュータグ、及び変更時間情報の中の少なくとも１つを受信する受信部と、上記受信されたシステム情報にエラーがあるか否かを検査し、エラー検査結果を出力するエラー検査部と、上記エラー検査結果に基づいて、上記ＭＩＢバリュータグ、上記ＳＩＢバリュータグ、及び上記変更時間情報の中の少なくとも１つにより定義されるコンバイニング条件又は格納条件が満足しているか否かに従って上記システム情報をバッファ及びコンバイナの中の１つに伝達する制御部と、上記格納条件が満足する場合に、上記制御部から受信された上記システム情報を格納するバッファと、上記コンバイニング条件が満足する場合に、上記バッファに格納されているシステム情報を上記制御部から受信されたシステム情報とコンバイニングするコンバイナと、を含むことを特徴とする。
【発明の効果】
【０００９】
移動通信システムにおいて、ＥＮＢから受信されたＳＩＢがエラーを有しているとしても、ＵＥでのコンバイニングを介してＳＩＢの受信成功率を向上させる。また、駆動のために、ＵＥがＥＮＢからＳＩＢを受信する場合に、本発明は、受信遅延時間を減少させるという長所がある。
【図面の簡単な説明】
【００１０】
【図１】移動通信システムにおけるＵＥがＥ−ＲＡＮからのシステム情報を受信する従来の動作を説明する信号フロー図である。
【図２】本発明の望ましい実施形態による移動通信システムの構成を示す図である。
【図３】本発明の望ましい実施形態によるＳＩＢを受信するＵＥの構成を示すブロック図である。
【図４】本発明の望ましい実施形態によるＵＥがＳＩＢを受信する動作を説明する信号フロー図である。
【図５】本発明の第１の実施形態によるＵＥがＳＩＢを受信する動作を説明するフローチャートである。
【図６】本発明の第２の実施形態によるＵＥがＳＩＢを受信する動作を説明するフローチャートである。
【図７】本発明の第３の実施形態によるＵＥがＳＩＢを受信する動作を説明するフローチャートである。
【図８】本発明の実施形態によるＵＥがＳＩＢバリュータグより早いＳＩＢを受信する動作の信号フローを示す図である。
【図９】本発明の第４の実施形態によるＵＥがＳＩＢを受信する動作を説明するフローチャートである。
【図１０】本発明の第５の実施形態によるＵＥがＳＩＢを受信する動作を説明するフローチャートである。
【発明を実施するための形態】
【００１１】
本発明の詳細な構成および要素のような本発明の詳細な説明で定義される特徴は、本発明の実施形態の包括的な理解を助けるために提供される。したがって、本発明の範囲及び趣旨を逸脱することなく、ここに説明された実施形態の様々な変更及び変形が可能であるということは、当該技術分野における通常の知識を有する者には明らかである。また、明瞭性と簡潔性の観点から、本発明に関連した公知の機能や構成に関する具体的な説明が本発明の要旨を不明瞭にすると判断される場合には、その詳細な説明を省略する。
【００１２】
本発明は、ＭＩＢバリュータグ、変更時間、及びＳＩＢバリュータグにより定義されるコンバイニング条件に従って、前に格納されているＳＩＢを受信されたＳＩＢとコンバイニングすることにより、ＳＩＢの受信成功率を増加させる。また、本発明において、従来の技術に比べて、ＳＩＢバリュータグは、ＭＩＢバリュータグとともに送信されるか、又はＭＩＢバリュータグとは個別に送信されることができる。上述したように、ＵＥ内のシステム情報を受信するための２種類の方式の中の１つは、変更時間情報を必要とし、他方、他の方法は、この変更時間情報を必要としない。本発明は、２種類の場合に適用可能である。
【００１３】
図２は、本発明の望ましい実施形態による移動通信システムの構成を示す図である。
図２を参照すると、次世代無線アクセスネットワーク（Evolved Radio Access Network：以下、“Ｅ−ＲＡＮ”と称する。）２１５は、次世代ノードＢ（Evolved Node B：以下、“ＥＮＢ”と称する。）２２５、２３０、２３５、２４０、及び２４５とアンカーノード２０５及び２１０とを有する構成で簡素化される。端末（User Equipment：以下、“ＵＥ”と称する。）２５０は、Ｅ−ＲＡＮ２１５を介してインターネットプロトコル（Internet Protocol：以下、“ＩＰ”と称する。）ネットワークにアクセスする。ＥＮＢ２２５乃至２４５は、ＵＥ２５０に無線で接続される。インターネットプロトコルを介した音声サービス（Voice over IP：以下、“ＶｏＩＰ”と称する）のようなリアルタイムサービスを含む全てのユーザトラフィックが共用チャネル（Shared Channel：ＳＣＨ）を介してサービスされるので、ＥＮＢ２２５乃至２４５は、信頼性のある情報の送受信のためにＵＥの状況情報を収集し、スケジューリングを実行する。
【００１４】
通常、１つのＥＮＢは、複数のセルを制御する。また、ＥＮＢは、ＵＥのチャネル状態に従ってＵＥに対する変調方式及びチャネル符号化率を適応的に決定する適応変調符号化（Adaptive Modulation & Coding：ＡＭＣ）方式を実行する。ハイブリッド自動再送要求（Hybrid Automatic Repeat ReQuest（ARQ）：以下、“ＨＡＲＱ”と称する。）は、ＥＮＢ２２５乃至２４５とＵＥ２５０との間で行われる。ＨＡＲＱ方式の使用だけでは、様々なサービス品質（Quality of Service：ＱｏＳ）の要求を満足することができないため、別個のＡＲＱ（すなわち、ｏｕｔｅｒ−ＡＲＱ）は、上位レイヤーでＵＥ２５０とＥＮＢ２２５乃至２４５との間でも行われる。
ＨＡＲＱは、前に受信したデータを廃棄することなく、再送信されたデータとソフトコンバイニングすることにより受信成功率を増加させる。ＨＡＲＱは、高速ダウンリンクパケットアクセス（High Speed Downlink Packet Access：ＨＳＤＰＡ）及び拡張された専用チャネル（Enhanced Dedicated Channel：Ｅ−ＤＣＨ）のような高速パケット通信で送信効率を高めるために使用される。
【００１５】
図３は、本発明の望ましい実施形態によるＳＩＢを受信するＵＥの構成を示すブロック図である。
図３を参照すると、受信部３００は、ＥＮＢ２３０からのＳＩＢを受信する。エラー検査部３１０は、ＣＲＣ検査などの方法を介してこの受信されたＳＩＢにエラーが発生したか否かを検査する。制御部３２０は、このＳＩＢに関連したＭＩＢバリュータグ、ＳＩＢバリュータグ、及び変更時間により定義された条件に従って、このＳＩＢをバッファ３３０又はコンバイナ３４０に提供する。このような条件についての詳細な説明は後述する。
バッファ３３０は、この受信されたＳＩＢ又はコンバイニングされたＳＩＢを格納し、制御部３２０から受信された命令に従って、格納されているＳＩＢをコンバイナ３４０に伝達し、この受信されたＳＩＢ又はこのコンバイニングされたＳＩＢをデコーダ３５０に伝達する。コンバイナ３４０は、この受信されたＳＩＢをこの格納されているＳＩＢとコンバイニングし、このコンバイニングされたＳＩＢをバッファ３３０に伝達する。デコーダ３５０は、エラーのないこの受信されたＳＩＢ又はこのコンバイニングされたＳＩＢをデコーディングし、このデコーディングされたＳＩＢを制御部３２０に伝達する。
【００１６】
図４は、本発明の望ましい実施形態によるＵＥがＳＩＢを受信する動作を説明する信号フロー図である。
図４を参照すると、ＵＥ４１０が変更されたＭＩＢバリュータグを受信することによりＳＩＢバリュータグを確認した状態に基づいて、ＵＥ４１０は、ステップ４２０で、Ｅ−ＲＡＮ４００からのＳＩＢを受信する。ＭＩＢバリュータグが増加したので、ＵＥ４１０は、ＳＩＢバリュータグに対応するＳＩＢから変更されたシステム情報を取得しなければならない。したがって、ＵＥ４１０は、ステップ４３０で、この受信したＳＩＢのエラー検査を実施する。ＳＩＢがエラーを有している場合には、ＵＥ４１０は、ステップ４４０で、このＳＩＢをバッファ３３０に格納する。このＳＩＢは、“格納ＳＩＢ”と呼ばれる。また、ＵＥ４１０は、ＭＩＢバリュータグ及びＳＩＢバリュータグをバッファ３３０又は任意の他の格納手段（図示せず）に格納する。ステップ４５０で、ＵＥ４１０は、次のスケジューリング時点でＭＩＢバリュータグ及びＳＩＢバリュータグを受信する。ステップ４６０で、ＵＥ４１０が変更時間情報を受信すると仮定する。
【００１７】
ステップ４７０で、ＵＥ４１０は、ＳＩＢを受信する。ＭＩＢバリュータグ、ＳＩＢバリュータグ、及び変更時間情報が個別のステップで受信されたが、これらは、ともに受信されてもよい。ＵＥ４１０は、ステップ４８０で、この受信されたＳＩＢに対してエラー検査を実施する。ＳＩＢがエラーを有していると、ＵＥ４１０は、ステップ４９０で、この格納されたＭＩＢバリュータグ及びＳＩＢバリュータグの中の少なくとも１つをこの受信したＭＩＢバリュータグ、ＳＩＢバリュータグ、及び変更時間情報と比較する。この比較の結果、ＵＥ４１０は、ステップ４９５で、所定のコンバイニング条件に従ってこの受信されたＳＩＢをコンバイニングするか又は格納するかを判定する。このコンバイニング条件は、この受信されたＭＩＢバリュータグが変更されたか否か、この受信されたＳＩＢバリュータグが変更されたか否か、及びＵＥが変更時間情報を受信するか否かに従って定義される。
【００１８】
本発明の理解を助けるために、本発明の好適な実施形態を次の２種類の基準に従って分類される。
（１）本発明の好適な実施形態は、ＵＥが変更時間情報を受信するか否かに基づいて区別される。ＵＥが変更時間情報を受信しない場合は、図５、図６、及び図９を参照して説明される。一方、ＵＥが変更時間情報を受信する場合は、図７及び図１０を参照して説明される。
（２）本発明の好適な実施形態は、ＵＥがＳＩＢをＳＩＢバリュータグより早く受信するか否かに基づいて区別される。ＵＥがＳＩＢをＳＩＢバリュータグより遅く受信する場合には、図５、図６、及び図７を参照して説明される。一方、ＵＥがＳＩＢをＳＩＢバリュータグより早く受信する場合は、図９及び図１０を参照して説明される。
従来の技術とは異なり、本発明において、ＵＥは、ＳＩＢをＳＩＢバリュータグより早く受信することができる。本発明は、ＳＩＢバリュータグがＭＩＢ内のＭＩＢバリュータグとともに送信される場合に限定されない。すなわち、ＳＩＢバリュータグは、システム構成に基づいてＭＩＢバリュータグとは個別に送信されることもある。
【００１９】
図５、図６、及び図７は、ＵＥがコンバイニング条件に従ってＳＩＢを受信する本発明の好適な実施形態を示す。
図５は、本発明の第１の実施形態によるＵＥがＳＩＢを受信する動作を説明するフローチャートである。
図５の手続きのコンバイニング条件１は、ＵＥが変更時間情報を受信しない場合に、一番最近に受信したＭＩＢバリュータグ（すなわち、現在のＭＩＢバリュータグ）が、格納されているＭＩＢバリュータグ（すなわち、格納ＭＩＢバリュータグ）と同一の値を有することである。ＭＩＢバリュータグが変更されなかったため、現在のＳＩＢバリュータグは、格納ＳＩＢバリュータグと同一である。したがって、このコンバイニング条件は、ＳＩＢバリュータグに含まれなくてもよい。
【００２０】
図５を参照すると、ＵＥは、ステップ５００で現在のＳＩＢを受信し、ステップ５１０で現在のＳＩＢに対してエラー検査を実施する。この現在のＳＩＢがエラーを有している場合には、ＵＥは、ステップ５２０に進み、この現在のＳＩＢがエラーを有していない場合には、ＵＥは、ステップ５７０に進む。この現在のＳＩＢでエラーが発見されなかったため、ステップ５７０で、この現在のＳＩＢをＵＥに即座に適用することができる。したがって、この現在のＳＩＢは、バッファに格納されず直接に出力される。
ステップ５２０で、ＵＥは、格納ＳＩＢがバッファに存在するか否かを判定する。この格納ＳＩＢが存在しない場合に、ＵＥは、ステップ５６０で、この現在のＳＩＢが最新のＳＩＢであるため、この現在のＳＩＢをこのバッファに格納する。
この格納ＳＩＢが存在する場合に、ＵＥは、ステップ５３０で、この格納ＳＩＢをこの現在のＳＩＢとコンバイニングし、ステップ５４０で、このコンバイニングされたＳＩＢにエラーがあるか否かを検査する。このコンバイニングされたＳＩＢがエラーを有していない場合に、ＵＥは、ステップ５７０で、このコンバイニングされたＳＩＢを格納せず出力する。このコンバイニングされたＳＩＢがエラーを有している場合に、ＵＥは、ステップ５５０で、バッファをクリアし、ステップ５８０で、このコンバイニングされたＳＩＢをこのバッファに格納する。
【００２１】
図６は、本発明の第２の実施形態によるＵＥがＳＩＢを受信する動作を説明するフローチャートである。
図６の手続きのコンバイニング条件２は、次のようである。ＵＥが変更時間情報を受信しない場合に、現在のＭＩＢバリュータグは、格納ＭＩＢバリュータグとは異なり、現在のＳＩＢバリュータグは、格納ＳＩＢバリュータグと同一の値を有する。
【００２２】
図６を参照すると、ＵＥは、ステップ６００で、現在のＳＩＢを受信し、ステップ６０５で、この現在のＳＩＢに対してエラー検査を実施する。この現在のＳＩＢがエラーを有している場合に、ＵＥは、ステップ６１０に進み、この現在のＳＩＢがエラーを有していない場合に、ＵＥは、ステップ６５０に進む。
この現在のＳＩＢでエラーが発見されなかったため、ステップ６５０で、この現在のＳＩＢは、ＵＥに即座に適用されることができる。したがって、この現在のＳＩＢは、バッファに格納されず直接に出力される。
ステップ６１０で、ＵＥは、格納ＳＩＢがこのバッファに存在するか否かを判定する。この格納ＳＩＢが存在しない場合に、ＵＥは、ステップ６５５で、この現在のＳＩＢが最新のＳＩＢであるため、この現在のＳＩＢをこのバッファに格納する。
【００２３】
この格納ＳＩＢが存在する場合に、ＵＥは、ステップ６１５で、現在のＳＩＢバリュータグを格納ＳＩＢバリュータグと比較する。この２つのＳＩＢバリュータグが異なる場合に、ＵＥは、ステップ６２０で、この格納ＳＩＢをこのバッファからクリアし、ステップ６２５で、この現在のＳＩＢが最新のＳＩＢであるため、この現在のＳＩＢをこのバッファに格納する。
ステップ６３０で、この２つのＳＩＢバリュータグが同一である場合に、ＵＥは、この現在のＳＩＢをこの格納ＳＩＢとコンバイニングし、ステップ６３５で、このコンバイニングされたＳＩＢに対してエラー検査を実施する。このコンバイニングされたＳＩＢからエラーが発見されない場合に、ＵＥは、ステップ６５０で、このコンバイニングされたＳＩＢを格納せず出力する。このコンバイニングされたＳＩＢでエラーが発見された場合に、ＵＥは、ステップ６４０で、この格納ＳＩＢをこのバッファからクリアし、ステップ６４５で、このコンバイニングされたＳＩＢをこのバッファに格納する。
【００２４】
図７は、本発明の第３の実施形態によるＵＥがＳＩＢを受信する動作を説明するフローチャートである。
図７の手続きのコンバイニング条件３は、次のようである。ＵＥが変更時間情報を受信した場合に、現在のＭＩＢバリュータグは、格納ＭＩＢバリュータグとは異なる値を有し、格納ＳＩＢは、変更時間の後に受信され、現在のＳＩＢバリュータグは、格納ＳＩＢバリュータグと同一の値を有する。
【００２５】
図７を参照すると、ＵＥは、ステップ７００で、現在のＳＩＢを受信し、ステップ７０５で、この現在のＳＩＢに対してエラー検査を実施する。この現在のＳＩＢがエラーを有している場合に、ＵＥは、ステップ７１０に進み、この現在のＳＩＢがエラーを有していない場合に、ＵＥは、ステップ７５５に進む。
この現在のＳＩＢでエラーが発見されなかったため、この現在のＳＩＢは、ＵＥに即座に適用されることができる。したがって、この現在のＳＩＢは、ステップ７５５で、バッファに格納されず直接に出力される。
ステップ７１０で、ＵＥは、格納ＳＩＢがバッファに存在するか否かを判定する。この格納ＳＩＢが存在する場合に、ＵＥは、ステップ７１５に進み、格納ＳＩＢが存在しない場合に、ＵＥは、ステップ７６０に進む。ステップ７６０で、この格納ＳＩＢがこのバッファに存在しないか、又は変更時間の前に受信されたため、ＵＥは、最新のＳＩＢであるこの現在のＳＩＢをこのバッファに格納する。この現在のＳＩＢがこの変更時間情報の前に受信された場合に、これは、この現在のＳＩＢが最新のＳＩＢではないことを示す。
【００２６】
ステップ７１５で、ＵＥは、この格納ＳＩＢが変更時間の後に受信されたか否かを判定する。この格納ＳＩＢがこの変更時間の前に受信された場合に、ＵＥは、ステップ７６０に進む。この格納ＳＩＢが変更時間の後に受信された場合に、ＵＥは、ステップ７２０で、現在のＳＩＢバリュータグを格納ＳＩＢバリュータグと比較する。この２つのＳＩＢバリュータグが異なる場合に、ＵＥは、ステップ７２５で、この格納ＳＩＢをこのバッファからクリアし、ステップ７３０で、この現在のＳＩＢが最新のＳＩＢであるため、この受信されたＳＩＢをこのバッファに格納する。
この２つのＳＩＢバリュータグが同一である場合に、ＵＥは、ステップ７３５で、この現在のＳＩＢをこの格納ＳＩＢとコンバイニングし、ステップ７４０で、このコンバイニングされたＳＩＢに対してエラー検査を実施する。エラーがこのコンバイニングされたＳＩＢから発見されない場合に、ＵＥは、ステップ７５５で、このコンバイニングされたＳＩＢを格納せず出力する。エラーがこのコンバイニングされたＳＩＢで発見された場合に、ＵＥは、ステップ７４５で、この格納ＳＩＢをこのバッファからクリアし、ステップ７５０で、このコンバイニングされたＳＩＢを格納する。
【００２７】
図５、図６、及び図７で説明した実施形態は、ＳＩＢを受信する前に、ＵＥがＭＩＢバリュータグ及びＳＩＢバリュータグを受信する場合に関する。上述したように、ＵＥは、ＳＩＢバリュータグをＭＩＢバリュータグとは個別に受信することができる。したがって、場合によって、ＵＥがＳＩＢバリュータグの前にＳＩＢを受信する場合が発生し得る。図８は、このような状況を示す。
【００２８】
図８は、本発明の実施形態によるＵＥがＳＩＢバリュータグより早いＳＩＢを受信する動作の信号フローを示す図である。
図８を参照すると、ＵＥ８１０は、ステップ８２０で、Ｅ−ＲＡＮ８００から変更されたＭＩＢバリュータグを受信することにより、ステップ８２０でＳＩＢの変化を認識する。したがって、ＵＥ８１０は、ステップ８３０で新たなＳＩＢを受信し、ステップ８４０で、ＳＩＢバリュータグをＳＩＢの受信の後に受信する。
このように、ＳＩＢバリュータグがＭＩＢとは個別に送信される場合に、ＵＥは、ＭＩＢバリュータグの受信にもかかわらず、送信損失によりＳＩＢバリュータグを受信できない場合が発生し得る。図９及び図１０は、ＵＥがＳＩＢバリュータグを受信できない場合を説明する。
【００２９】
図９は、本発明の第４の実施形態によるＵＥがＳＩＢを受信する動作を説明するフローチャートである。
図９の手続きのコンバイニング条件４は、次のようである。ＵＥが変更時間情報を受信していない場合に、現在のＭＩＢバリュータグは、格納ＭＩＢバリュータグとは異なる値を有し、現在のＳＩＢバリュータグは、受信されなかった。
図９を参照すると、ＵＥは、ステップ９００で、現在のＳＩＢを受信し、ステップ９１０で、この現在のＳＩＢに対してエラー検査を実施する。この現在のＳＩＢがエラーを有している場合に、ＵＥは、ステップ９２０に進み、この現在のＳＩＢがエラーを有していない場合に、ＵＥは、ステップ９６０に進む。
この現在のＳＩＢでエラーが発見されなかったため、この現在のＳＩＢは、ＵＥに即座に適用されることができる。したがって、この現在のＳＩＢは、ステップ９６０で、このバッファに格納されず直接に出力される。
【００３０】
ステップ９２０で、ＵＥは、格納ＳＩＢがバッファに存在するか否かを判定する。格納ＳＩＢが存在する場合に、ＵＥは、ステップ９３０に進み、格納ＳＩＢが存在しない場合に、ＵＥは、ステップ９６０に進む。ステップ９６０で、この格納ＳＩＢがこのバッファに存在しないため、ＵＥは、最新のＳＩＢであるこの現在のＳＩＢをこのバッファに格納する。
ステップ９３０で、ＵＥは、この現在のＳＩＢをこの格納ＳＩＢとコンバイニングする。ＵＥは、ステップ９４０で、このコンバイニングされたＳＩＢに対してエラー検査を実施する。このコンバイニングされたＳＩＢからエラーが発見されない場合に、ＵＥは、ステップ９７０で、このコンバイニングされたＳＩＢを格納せず出力する。このコンバイニングされたＳＩＢでエラーが発見された場合に、ＵＥは、ステップ９５０で、この格納ＳＩＢをこのバッファからクリアし、ステップ９６０で、この現在のＳＩＢを格納する。ＵＥがＳＩＢバリュータグを受信していない場合に、ＵＥが複数のＳＩＢの中で変更されたシステム情報を有するＳＩＢを認識することができないため、ＵＥは、ステップ９６０で、このコンバイニングされたＳＩＢを格納しない。したがって、このコンバイニングされたＳＩＢがエラーを有している場合に、これは、現在のＳＩＢが格納ＳＩＢとは異なり得ることを意味する。結局、エラーがあるこのコンバイニングされたＳＩＢを廃棄し、その代わりに、最新のシステム情報を有する現在のＳＩＢをバッファに格納する。
【００３１】
図１０は、本発明の第５の実施形態によるＵＥがＳＩＢを受信する動作を説明するフローチャートである。
図１０の手続きのコンバイニング条件５は、次のようである。ＵＥが変更時間情報を受信した場合に、現在のＭＩＢバリュータグは、格納ＭＩＢバリュータグとは異なる値を有し、格納ＳＩＢは、変更時間の後に受信される。
図１０において、ＵＥは、変更されたＭＩＢバリュータグを受信し、ＳＩＢを受信した後にＳＩＢバリュータグを受信する。上述したように、ＵＥは、変更時間情報を受信する。
図１０を参照すると、ＵＥは、ステップ１０００で現在のＳＩＢを受信し、ステップ１０１０で、この現在のＳＩＢに対してエラー検査を実施する。この現在のＳＩＢがエラーを有している場合に、ＵＥは、ステップ１０２０に進み、この現在のＳＩＢがエラーを有していない場合に、ＵＥは、ステップ１０８０に進む。
この現在のＳＩＢでエラーが発見されなかったため、この現在のＳＩＢは、ＵＥに即座に適用されることができる。したがって、この現在のＳＩＢは、ステップ１０８０で、バッファに格納されず直接に出力される。
【００３２】
ステップ１０２０で、ＵＥは、格納ＳＩＢがバッファに存在するか否かを判定する。格納ＳＩＢが存在する場合に、ＵＥは、ステップ１０３０に進み、格納ＳＩＢが存在しない場合に、ＵＥは、ステップ１０９０に進む。
ステップ１０９０で、この格納ＳＩＢがこのバッファに存在しないか、又はこの格納ＳＩＢがこのバッファに存在しても、この格納ＳＩＢは、変更時間の前に受信されたため、ＵＥは、最新のＳＩＢであるこの現在のＳＩＢをこのバッファに格納する。
ステップ１０４０で、ＵＥは、この現在のＳＩＢをこの格納ＳＩＢとコンバイニングし、ステップ１０５０で、このコンバイニングされたＳＩＢに対してエラー検査を実施する。エラーがこのコンバイニングされたＳＩＢから発見されなかった場合に、ＵＥは、ステップ１０８０で、このコンバイニングされたＳＩＢを格納せず出力する。エラーがこのコンバイニングされたＳＩＢで発見された場合に、ＵＥは、ステップ１０６０で、この格納ＳＩＢをこのバッファからクリアし、ステップ１０７０で、このコンバイニングされたＳＩＢを格納する。
【００３３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００３４】
２００  ＩＰネットワーク
２０５，２１０  アンカーノード
２１５，２２０  次世代無線アクセスネットワーク（Ｅ−ＲＡＮ）
２２５，２３０，２３５，２４０，２４５  次世代ノードＢ（ＥＮＢ）
２５０  端末（ＵＥ）
３００  受信部
３１０  エラー検査部
３２０  制御部
３３０  バッファ
３４０  コンバイナ
３５０  デコーダ
【図１】
2010510747.tif 000003
【図２】
2010510747.tif 000004
【図３】
2010510747.tif 000005
【図４】
2010510747.tif 000006
【図５】
2010510747.tif 000007
【図６】
2010510747.tif 000008
【図７】
2010510747.tif 000009
【図８】
2010510747.tif 000010
【図９】
2010510747.tif 000011
【図１０】
2010510747.tif 000012
【国際調査報告】
2010510747.tif 000013
2010510747.tif 000014